(57)【要約】【課題】利便性が高く、住居数が多く、部屋毎の機密性が高いタワーマンション等の大型マンションのエントランスやエレベーター乗場等に対応し、セキュリティの信頼性が高いエレベーター呼び登録装置及びそれを用いたエレベーターシステムを得る。【解決手段】エレベーターの乗場に設置され、利用者がエレベーターで行先階を登録するエレベーター呼び登録装置１において、指の接触位置を案内する指ガイド表示部１４と、行先階を示す数値釦が入力可能として配置されたテンキー操作部１５と、を有したタッチパネルと、指ガイド表示部１４において利用者の生態情報を入力する生体認証端末８と、生体認証端末８にて入力された生体情報と予め記憶されている登録生体情報を照合判定する生体認証部９と、を備え、生体認証部９の照合適合判定に基づいて、テンキー操作部１５の入力操作を受け付ける。【選択図】  図２
2011020780.tif 000002
【特許請求の範囲】
【請求項１】
エレベーターの乗場に設置され、利用者がエレベーターで行先階を登録するエレベーター呼び登録装置において、
指の接触位置を案内する指ガイド表示部と、前記行先階を示す数値釦が入力可能として配置されたテンキー操作部と、を有したタッチパネルと、
前記指ガイド表示部において利用者の生態情報を入力する生体認証端末と、
前記生体認証端末にて入力された前記生体情報と予め記憶されている登録生体情報を照合判定する生体認証部と、
を備え、前記生体認証部の照合適合判定に基づいて、前記テンキー操作部の入力操作を受け付けることを特徴とするエレベーター呼び登録装置。
【請求項２】
請求項１記載のエレベーター呼び登録装置において、少なくとも指紋情報あるいは指静脈情報のいずれかであることを特徴とするエレベーター呼び登録装置。
【請求項３】
請求項１記載のエレベーター呼び登録装置において、前記指ガイド表示部が利用者の指で押されることにより、前記生体認証端末及び前記生体認証部の電源が入り、認証動作を開始することを特徴とするエレベーター呼び登録装置。
【請求項４】
請求項１記載のエレベーター呼び登録装置において、前記生体認証部で認証適合と判定された場合、前記テンキー操作部から入力操作を可能とすることを特徴とするエレベーター呼び登録装置。
【請求項５】
請求項１記載のエレベーター呼び登録装置において、前記生体情報は、指静脈情報を用いたものであり、前記生体認証端末内に設けたＬＥＤから指の第一関節甲側に向けて近赤外光を２方向から斜め照射することを特徴とするエレベーター呼び登録装置。
【請求項６】
複数のエレベーターバンクと、前記各エレベーターバンク内の複数のかごと、前記エレベーターバンクの各乗場に設けた乗場呼び登録部と、前記複数のエレベーターバンクのエントランスに設けたエレベーター呼び登録装置と、前記複数のエレベーターバンクの各かご間の運行管理制御を行う群管理制御部を有するエレベーターシステムにおいて、
前記エレベーター呼び登録装置は、
指の接触位置を案内する指ガイド表示部と、前記行先階を示す数値釦が入力可能として配置されたテンキー操作部と、を有したタッチパネルと、
前記指ガイド表示部において利用者の生態情報を入力する生体認証端末と、
前記生体認証端末にて入力された前記生体情報と予め記憶されている登録生体情報を照合判定する生体認証部と、
を備え、前記生体認証部の照合適合判定に基づいて、前記テンキー操作部の入力操作を受け付けることを特徴とするエレベーターシステム。
【発明の詳細な説明】
【技術分野】
【０００１】
本発明はエレベーター呼び登録装置及びそれを用いたエレベーターシステムに関する。
【背景技術】
【０００２】
近年、普及が進んでいるタワーマンション等の大型マンションでは、マンション内にスカイラウンジ，フィットネス等のスポーツ施設，医療施設，カフェ等の商業施設等が設けられており、利便性を高めている。その一方で、住居数が多くて知らない人も多く、部屋毎の機密性が高いことから、マンション内での犯罪を察知しにくくなっている。このため、これまで以上にマンションエントランス，エレベーター乗場等の防犯に対する配慮がためされたセキュリティシステムが導入されている。
【０００３】
セキュリティシステムに用いられる認証方式として、パスワード認証方式が最も普及しているが、パーソナルコンピューター，キャッシュカードやクレジットカード等、様々な分野でパスワードが利用されていることから、ユーザーがパスワード番号を混乱したり、忘れてしまったりする心配がある。また、他人に知られてしまうと盗用される恐れがあり、定期的にパスワードを更新していることも、ユーザーが常にパスワード番号把握することを難しくしている。
【０００４】
一方、セキュリティシステムにパスワードが必要のないＩＣカード認証やノンタッチキー認証も利用されるようになっているが、紛失した場合には本人確認ができなくなる、また、紛失したＩＣカードやノンタッチキーの他人による盗用の心配を持ち合わせている。
【０００５】
他人の盗用を防止して信頼性の高いセキュリティを実現する認証方式として、最近、生体認証方式が注目されつつあり、不審者のエレベーター利用を防ぎ、防犯効果を大きくするため、生体認証を利用し、呼び出しボタン，開閉ボタン及びフロア指定ボタンにボタンを押した人間の指紋を読み取る指紋読み取り手段を設け、記憶されている指紋と一致していることが認証された場合に、エレベーターを駆動することが知られ、例えば特許文献１に記載されている。
【０００６】
また、エレベーターの指紋認証システムにおいて、エレベーターの多機能化に対応し、簡易な構成によりエレベーター利用者の利便性を確保するため、エレベーター利用者が提示した指の指紋データを読み取ると共に、指の動きを検出し、認証と、指の動きに割り付けられた所定の設定機能を実行することが知られ、例えば特許文献２に記載されている。
【先行技術文献】
【特許文献】
【０００７】
【特許文献１】特開２００２−３３８１４９号公報
【特許文献２】特開２００８−２３０８１１号公報
【発明の概要】
【発明が解決しようとする課題】
【０００８】
上記従来技術においては、各種施設が設けられた大型マンション等に適用するには、利便性に乏しく、例えば行先階の選択が簡単にできなかった。
【０００９】
本発明の目的は、上記従来技術の課題を解決し、利便性が高く、住居数が多く、部屋毎の機密性が高いタワーマンション等の大型マンションのエントランスやエレベーター乗場等に対応し、セキュリティの信頼性が高いエレベーター呼び登録装置及びそれを用いたエレベーターシステムを得ることにある。
【課題を解決するための手段】
【００１０】
上記目的を達成するため、本発明は、エレベーターの乗場に設置され、利用者がエレベーターで行先階を登録するエレベーター呼び登録装置において、指の接触位置を案内する指ガイド表示部と、前記行先階を示す数値釦が入力可能として配置されたテンキー操作部と、を有したタッチパネルと、前記指ガイド表示部において利用者の生態情報を入力する生体認証端末と、前記生体認証端末にて入力された前記生体情報と予め記憶されている登録生体情報を照合判定する生体認証部と、を備え、前記生体認証部の照合適合判定に基づいて、前記テンキー操作部の入力操作を受け付けるものである。
【発明の効果】
【００１１】
本発明によれば、生体認証部の照合適合判定に基づいて、テンキー操作部の入力操作を受け付けるので、信頼性が高いセキュリティを実現しつつ、タワーマンション等の大型マンションに必須とされる行先階の選択が簡単にできる。
【図面の簡単な説明】
【００１２】
【図１】本発明による一実施の形態のブロック図。
【図２】一実施の形態であるエレベーター呼び登録装置の正面図。
【図３】一実施の形態の生体認証端末の断面図。
【図４】一実施の形態における制御フローチャート。
【図５】他の実施の形態における制御フローチャート。
【発明を実施するための形態】
【００１３】
以下、本発明による一実施の形態について、図面を参照して説明する。  
図１は、エレベーター呼び登録装置１のブロック図を示し、エレベーター呼び登録装置１はエレベーターの各階の乗場に設置されており、表示制御部２と音声案内制御部３はデータ格納部４に予め格納されている制御情報を読み込み、システム制御部５の指示に基づいて、表示部６と小型スピーカー７を用いて利用者に対する利用案内を行う。
【００１４】
生体認証端末８は利用者の生体情報を入力して生体認証部９に送信し、生体認証部９は入力された生体情報を認識処理用に変換して登録されている生体情報と比較評価し、ある一定の適合率を満たした場合に登録ユーザーとする認証判定を行う。生体認証部９の認証に基づいて、テンキー操作部１０によるかご呼び操作が可能となり、利用者による予め登録された階あるいは任意の階への移動、及び専有運転モードあるいは一般運転モードによる移動の選択ができる。
【００１５】
システム制御部５は、利用者が選択した階と運転モードの情報を群管理制御部１１に送信する。群管理制御部１１は、建物に配置された複数のエレベーターバンク内の各かご毎に設けられたかご制御盤１２と接続し、各かご制御盤１２から入手するかご運行情報とかご内行先階登録情報、及びエレベーター呼び登録装置１の情報と基づいて各かごの運行制御を行っており、システム制御部５から受信した利用者が選択した階と運転モード情報に適合するかごを選択するとともに、選択されたかごが利用者のいる乗場に到着する目安の時間をシステム制御部５に送信する。
【００１６】
システム制御部５は、群管理制御部１１から受信したかご番号と利用者のいる乗場に到着する目安の時間を表示制御部２の制御に基づいて表示部６に表示する。エレベーター呼び登録装置１をレベーターの各階の乗場に設置しているが、マンションのエントランスに設置することでも良い。
【００１７】
図２は、エレベーター呼び登録装置１の正面概観図であり、表示部６は、液晶ディスプレイを用いて利用者に文字による文字案内表示部１３ａと、生体認証時に登録時の指位置表示部１３ｂから構成されるメッセージ表示部１３，指の接触位置を案内しタッチパネルで構成される指ガイド表示部１４，耐久性と動作温度特性に優れる静電容量結合方式のタッチパネルとその裏側に液晶ディスプレイを配置したテンキー操作部１５，小型スピーカー７を有している。
【００１８】
指ガイド表示部１４に接触するとタッチパネルが動作して生体認証端末８と生体認証部９に電源が入る。生体認証端末８は、呼び登録装置の小型化に優れ、認証信頼性の高い指静脈認証を用いており、詳細技術は後述する。
【００１９】
テンキー操作部１５は、０〜９までの数値釦と地下階入力用釦と、入力確認用の確認釦で構成され、テンキー釦表示への接触状態を表示制御部２で監視して被操作箇所を検出する。検出された被操作箇所の検出情報は、表示制御部２とシステム制御部５の制御により、テンキー操作部１０の被操作箇所を変色表示している。音声案内制御部３は、システム制御部５からの指示に基づいて小型スピーカー７から乗場へ音声案内を行う。
【００２０】
図３は、エレベーター呼び登録装置１に設けた指静脈情報を用いた生体認証端末８の概略構造を示す断面図である。指ガイド表示部１４を指で押すと生体認証端末８と生体認証部９の電源が入り、認証動作を開始する。生体認証端末８内に設けたＬＥＤ１６から指の第一関節甲側に向けて近赤外光を２方向から斜め照射する。この時、個人毎に指の太さ等が異なり、指ガイド面に対する指の傾斜角もばらつくことから、ＬＥＤ１６の両側に圧電素子を設けて電圧差を違えることによりＬＥＤ照射角を所定範囲で首振りを行うＬＥＤスイング機構１７を設け、各個人の指の第一関節甲側に角度を変えて近赤外光を照射できるようにしている。
【００２１】
ＬＥＤ１６から照射された近赤外光は、指の輪郭面、及び、指の第一関節甲側の静脈血管部で反射され、呼び登録釦表面に設けた可視光線カットフィルタ１８を透過して生体認証端末内に設けた撮像素子１９に入力され、光電変換される。
【００２２】
撮像素子１９にて光電変換された指静脈画像信号は、生体認証部９内に設けた図示しない生体情報変換部にて認証形式の指静脈情報に変換され、指輪郭画像信号とともにメモリに記憶する。更に、データ格納部４に予め登録されている認証形式生体情報と比較・評価して、一定の適合率を満たした場合、生体情報の入力者を登録ユーザーと認証して、評価結果をシステム制御部５に送信する。なお、ＬＥＤ照射角を変えた数箇所の指静脈画像信号を夫々認証形式の指静脈情報に変換することにより、データ格納部４に予め登録された認証形式生体情報との適合率を高めている。
【００２３】
認証合格（指認証適合）と判定された場合には、システム制御部５の指示に基づいて、表示制御部は文字案内表示部１３ａに認証したことを知らせるメッセージを表示し、テンキー操作部１５から入力操作を可能とする。
【００２４】
一方、認証不合格の場合は、システム制御部５の指示に基づいて、文字案内表示部１３ａに指ガイド表示部１４に再度指を当てるようメッセージを表示し、テンキー操作部１５から入力操作を受け付けない。あるいは、文字案内表示部１３ａに、登録時の指置き位置を確認するため、テンキー操作部１５からパスワードを入力することを促し、テンキー操作部１５の操作を可能とする。利用者が入力するパスワードが予め設定しているパスワードと一致した場合、指位置表示部１３ｂに登録時の指輪郭位置を表示する。
【００２５】
図４は、エレベーター呼び登録装置の制御フローチャートである。  
ステップ１０１は待ち受け状態であり、エレベーター呼び登録装置１の文字案内表示部１３ａに「指ガイド表示部に指を当てて下さい。」と表示、それ以外の場所は表示されていない。利用者がエレベーター乗場にやってきて、エレベーター呼び登録装置１の指ガイド表示部１４に触れるとステップ１０２に進む。
【００２６】
ステップ１０２にて生体認証端末８と生体認証部９に電源が入った状態となり、利用者の指から指輪郭情報と指静脈情報を入手し、更に指静脈情報を認証形式情報に変換し、データ格納部４に予め登録されている認証形式生体情報と比較判定する。認証合格の場合は、システム制御部５の指示に基づいて文字案内表示部１３ａに「行先階を指定して下さい。」と表示し、ステップ１０３に進む。認証不合格の場合はステップ１０６に進む。
【００２７】
ステップ１０３にて、テンキー操作部１５からの操作が可能となり、専有運転で自宅のある階に直行する場合は確認釦を押し、システム制御部に専有運転要求を送信してステップ１１０に進む。一方、専有運転を選択せず、任意の階への移動の場合は、テンキー操作にて行先階を指定した後で確認釦を押し、ステップ１０４に進む。
【００２８】
ステップ１０４にて、文字案内表示部１３ａに「指定された階まで専有運転でよろしいですか？」と表示され、専有運転の場合は確認ボタンを押し、ステップ２１１に進む。一般運転で構わない場合は確認ボタンを二度押しし、ステップ１０５に進む。
【００２９】
ステップ１０５にて、システム制御部５は群管理制御部１１に他のユーザーとの乗り合い可能なエレベーターを問合せ、群管理制御部１１から指定されたエレベーターＮｏとかごＮｏを文字案内表示部１３ａに表示し、確認釦を押すとステップ１０１の待ち受け画面に戻る。確認釦が押されない場合でも所定時間経過した後、ステップ１０１の待ち受け画面に戻る。
【００３０】
ステップ１０６にて、認証不合格の回数をカウントし、予め設定した回数と比較判定して予め設定した回数未満の場合は文字案内表示部１３ａに「指位置が不適切です。登録時の指位置を確認しますか？」と表示し、ステップ１０７に進む。一方、認定不合格回数が設定回数に達した場合には、ステップ１０１に戻る。
【００３１】
ステップ１０７にて、登録時の指輪郭位置を確認する場合は確認釦を一度押し、ステップ１０８に進む。登録時の指輪郭位置確認の必要が無い場合は、確認釦を二度押しし、ステップ１０２に戻る。ステップ１０８にてテンキー操作部１５からの入力が可能となり、４桁のパスワードを入力して予め設定しているパスワードと一致するとステップ１０９に進む。４桁のパスワードが一致しない場合はステップ１０６に戻る。
【００３２】
ステップ１０９にて、指位置表示部１３ｂに認証形式生体情報登録時の指輪郭位置と今回の指輪郭位置が表示され、修正方向が確認できるようにしてステップ１０２に戻る。
【００３３】
ステップ１１０にて、システム制御部５は群管理制御部１１に専有運転可能なエレベーターを問合せ、群管理制御部１１から指定されたエレベーターＮｏとかごＮｏ及び待機時間をメッセージ表示部１３に表示し、確認釦を押すとステップ１０１の待ち受け画面に戻る。確認釦が押されなかった場合でも所定時間経過した後、ステップ１０１の待ち受け画面に戻る。
【００３４】
ステップ１１１にて、システム制御部５は群管理制御部１１に専有運転可能なエレベーターを問合せ、群管理制御部１１から指定されたエレベーターＮｏとかごＮｏを文字案内表示部１３ａに表示し、確認釦を押すとステップ１０１の待ち受け画面に戻る。確認釦が押されない場合でも所定時間経過した後、ステップ１０１の待ち受け画面に戻る。
【００３５】
本エレベーター呼び登録装置は、紛失や忘却による不都合や、盗用の心配のない生体認証により、信頼性の高いセキュリティを実現するとともに、自宅のある階への専有運転の他、行先階指定にも柔軟に対応でき、タワーマンション等の大型マンションに好適なエレベーター呼び登録装置を実現できる。さらに、指静脈認証を用いた生体認証により、体内の生体情報ということでセキュリティ信頼性に優れる。また、外部環境の温度変化や運動前後等によって血管の太さ等が微妙に変化し、生体情報の入力に微妙な影響を与えたりすることから、建物の内部での利用に好適である。
【００３６】
また、図２の指ガイド表示部１４を指紋センサーに置き換え、利用者の指紋情報と指静脈情報を一度に入力し、生体認証端末の電源を入力するタッチセンサーは指紋センサーが兼用し、指紋センサーに接触することで生体認証端末の電源が入ることにしても良い。
【００３７】
さらに、指紋センサーとタッチセンサーを別場所に設けて、タッチセンサーに接触した後、指紋センサーに接触するようにしても良い。この場合、利用者から入力する指紋情報と指静脈情報を、記憶されている指紋情報と指静脈情報と比較評価して、いずれか一方の情報が一定の適合率を満たした場合、生体情報の入力者を登録ユーザーと認証する。
【００３８】
図５は、以上のエレベーター呼び登録装置の制御フローチャートであり、ステップ２０１は待ち受け状態であり、エレベーター呼び登録装置１の文字案内表示部１３ａに「指ガイド表示部にて認証を受けて下さい。」と表示、それ以外の場所は表示されていない。利用者がエレベーター指を乗場にやってきて、エレベーター呼び登録装置１の指ガイド表示部１４に触れるとステップ２０２に進む。
【００３９】
ステップ２０２にて生体認証端末８と生体認証部９に電源が入った状態となり、生体認証端末８は利用者の指から、指輪郭情報，指紋情報，指静脈情報を入手し、更に指紋情報と指静脈情報を認証形式情報に変換し、利用者から入力した指紋情報とデータ格納部４に予め登録されている認証形式指紋情報と比較判定する。
【００４０】
認証合格の場合は、システム制御部５の指示に基づいて文字案内表示部１３ａに「行先階を指定して下さい。」と表示し、ステップ２０４に進む。認証不合格の場合はステップ２０３に進む。ステップ２０３にて利用者から入力した指静脈情報とデータ格納部４に予め登録されている認証形式指紋情報と比較判定する。認証合格の場合は、システム制御部５の指示に基づいて文字案内表示部１３ａに「行先階を指定して下さい。」と表示し、ステップ２０４に進む。認証不合格の場合はステップ２０７に進む。
【００４１】
本例によれば、利用者の指紋情報と指静脈情報を同時に入力し、指紋情報と指静脈情報のいずれか一方の認証で済むようにすることにより合証確率を高めることができる。さらに、指紋認証は皮膚表面の凹凸に基づく反射率の相違を検出していることから、外部環境の温度変化や運動前後等の影響が小さいが、汗の影響や皮膚表面の傷等の影響を受け易い。したがって、非接触で体内情報である指静脈認証が有効に働くため、マンションエントランス等、アウトドア設置に好適である。
【符号の説明】
【００４２】
１  エレベーター呼び登録装置
２  表示制御部
３  音声案内制御部
４  データ格納部
５  システム制御部
６  表示部
７  小型スピーカー
８  生体認証端末
９  生体認証部
１０  テンキー操作部
１１  群管理制御部
１２  かご制御盤
１３  メッセージ表示部
１３ａ  文字案内表示部
１３ｂ  指位置表示部
１４  指ガイド表示部
１５  テンキー操作部
１６  ＬＥＤ
１７  ＬＥＤスイング機構
１８  可視光線カットフィルタ
１９  撮像素子
【図１】
2011020780.tif 000003
【図２】
2011020780.tif 000004
【図３】
2011020780.tif 000005
【図４】
2011020780.tif 000006
【図５】
2011020780.tif 000007